(57)【要約】  本発明の実施形態では、ソース画像を平滑化して、平滑画像を生成し、エッジ検出器を用いて、エッジレイヤを生成する。混合コントローラを用いて、ソース画像と平滑画像とを混合する。混合された目標画像は、不要なノイズを除去するとともに、細部を維持している。
2007507134.tif 000002
【特許請求の範囲】
【請求項１】
ビデオ画像の第１のビデオレイヤを受信するステップと、
前記第１のビデオレイヤに基づいて第１のエッジレイヤを決定するステップと、
前記第１のビデオレイヤを第１の他のレイヤと混合するステップであって、該混合は前記第１のエッジレイヤに基づいて制御されるステップと、を有する方法。
【請求項２】
さらに、ビデオ画像の第２のビデオレイヤを受信するステップと、
前記第２のビデオレイヤに基づいて第２のエッジレイヤを決定するステップと、
前記第２のビデオレイヤを第２の他のレイヤと混合するステップであって、該混合は前記第２のエッジレイヤにより制御されるステップと、を有する請求項１に記載の方法。
【請求項３】
さらに、
前記第１のビデオレイヤと前記第２のビデオレイヤのコンポジットを、表示装置上の表示のために提供するステップと、を有する請求項１に記載の方法。
【請求項４】
前記第１の他のビデオレイヤは、前記第１のビデオレイヤのフィルタ処理された表現である請求項１に記載の方法。
【請求項５】
前記フィルタ処理された表現は、前記第１のビデオレイヤの平滑化された表現である請求項４に記載の方法。
【請求項６】
前記第１のビデオレイヤは、Ｒレイヤ、Ｇレイヤ及びＢレイヤのうちの１つである請求項１に記載の方法。
【請求項７】
前記第１のビデオレイヤは、Ｙレイヤ、Ｕレイヤ及びＶレイヤのうちの１つである請求項１に記載の方法。
【請求項８】
前記混合は、水平エッジ要素に基づく請求項１に記載の方法。
【請求項９】
前記混合は、垂直エッジ要素とは独立している請求項８に記載の方法。
【請求項１０】
前記混合は、垂直エッジ要素に基づく請求項１に記載の方法。
【請求項１１】
前記混合は、水平エッジ要素とは独立している請求項１０に記載の方法。
【請求項１２】
前記第１のエッジレイヤを決定するステップは、前記第１のビデオレイヤの複数のピクセルに対する勾配を決定するステップを有する請求項１に記載の方法。
【請求項１３】
前記第１のエッジレイヤを決定するステップは、前記第１のビデオレイヤの複数のピクセルに対する水平方向の勾配を決定するステップを有する請求項１２に記載の方法。
【請求項１４】
前記第１のエッジレイヤを決定するステップは、前記第１のビデオレイヤの複数のピクセルに対する垂直方向の勾配を決定するステップを有する請求項１３に記載の方法。
【請求項１５】
前記第１のエッジレイヤを決定するステップは、前記第１のビデオレイヤの複数のピクセルに対する垂直方向の勾配を決定するステップを有する請求項１２に記載の方法。
【請求項１６】
前記第１のエッジレイヤは、ピクセルにおける勾配が、所定の値より大きいとき、該ピクセルにおけるエッジ指示子を含む請求項１２に記載の方法。
【請求項１７】
前記所定の値は、ユーザにより定義可能である請求項１６に記載の方法。
【請求項１８】
画像レイヤに基づいてエッジレイヤを決定するステップと、
前記画像レイヤに基づいてフィルタ処理されたレイヤを決定するステップと、
混合された画像レイヤの各ピクセルについて混合比を決定するステップであって、前記混合比は、前記混合画像レイヤを形成するために、前記画像レイヤとフィルタ処理されたレイヤとの混合を制御するためのものであり、かつ前記混合比は、前記エッジレイヤに基づくものであるステップと、を有する方法。
【請求項１９】
前記フィルタ処理されたレイヤは、平滑画像を表現する請求項１８に記載の方法。
【請求項２０】
前記ソース画像を受信し、平滑画像を提供するノイズフィルタと、
前記ソース画像を受信し、エッジレイヤを提供するエッジ検出器と、
前記平滑画像と前記エッジレイヤとを受信し、かつ前記ソースレイヤと前記目標レイヤとに基づいて目標レイヤを提供するように結合される混合制御器と、
を備えるシステム。
【発明の詳細な説明】
【技術分野】
【０００１】
本発明は、データ処理、特に画像処理及び映像処理に関する。
【背景技術】
【０００２】
ビデオ画像、とりわけアナログビデオ画像は、画像の取得、伝送、及び記録の間に、さまざまな時間的・空間的ノイズによって損傷を受けることがある。代表的なノイズには、熱ノイズ、単一周波数変調歪みノイズ、及びインパルスノイズがある。ビデオ信号に関する線形あるいは非線形フィルタを用いるノイズ低減技術は、ノイズの量を低減させることができる。そのような技術の一つは、ビデオ信号に関してローパスフィルタを適用することである。しかし、単純なローパスフィルタリングは、ぼやけて見える過平滑化したビデオを生成しがちである。ウィーナーフィルタ、カルマンフィルタ等の他のフィルタは、１つ以上の空間的ノイズあるいは時間的ノイズを除くのにずっとよいものであるが、実現コスト及び装置コストの面で高くつくことになる。
【０００３】
したがって、これらの問題点を克服するノイズ低減方法は、有用であろう。
【発明を実施するための最良の形態】
【０００４】
添付の図面を参照することによって、本発明はよりよく理解され、その特徴と利点とが当業者にとって明らかになるであろう。
【０００５】
異なる図において使用される同一の参照記号は、同様のあるいは同一の事項を示す。
【０００６】
本発明の特定の実施形態では、ソース画像を平滑化して、平滑化画像を生成し、エッジ検出器を使用して、エッジレイヤを生成する。混合制御器を使用して、ソース画像と平滑画像との間の混合を制御する。混合目標（destination）画像は、不要ノイズを除去しつつ、細部を維持している。本発明の具体化は、図１〜８を参照することによって、よりよく理解される。
【０００７】
図１は、本発明による方法をフローチャートにより示す。図１の方法は、図２のシステムを参照して説明され、図２は、本発明によるシステム１００のデータフローを、ブロックダイアグラムにより示している。
【０００８】
システム１００は、ノイズフィルタ１４０と、エッジ検出器１５０と、混合制御器１６０とを備える。さらに、システム１００は、ソース画像１１２と、平滑レイヤ１２０と、エッジレイヤ１３０と、目標レイヤ１３５等の画像情報を格納するメモリ（図示せず）を有する。これらのレイヤは、ノイズフィルタ１４０、エッジ検出器１５０、及び混合制御器１６０によってアクセス可能である。
【０００９】
第１の画像レイヤが、ステップ１１で受信される。図２を参照して、ソースレイヤ１１７は、このような第１の画像レイヤの１例である。ソースレイヤ１１７は、レイヤ１１５、１１６とともにソース画像１１２を形成する３つのコンポーネントレイヤのうちの１つである。コンポーネントレイヤ１１５〜１１７のタイプの例としては、ＲＧＢコンポーネントレイヤ、ＹＵＶコンポーネントレイヤ、及びその他の色空間のコンポーネントレイヤがある。システム１００は、ビデオストリームの受信により、あるいはメモリ領域へのアクセスにより、ソース画像１１２を受信する。
【００１０】
ソース画像を供給するソースは、ヘッドエンドデバイス、ＴＶ受像機、ビデオカセットレコーダ、ＤＶＤ（Digital Versatile Disk）プレーヤ、もしくは他のビデオソースであってよい。
【００１１】
ソース画像１１２を受信すると、各イメージレイヤ１１５〜１１７は、独立して処理される。説明のために、図１、２に関するデータフローを、ソースレイヤの１つであるソースレイヤ１１７について説明する。なお、レイヤ情報は、フレームとして、あるいはシステムの具体的な構成に依存するラインバッファのような部分的フレームとして、記憶し処理することができる。説明を容易にするために、画像情報は、フレーム全体として記憶されているとする。
【００１２】
ステップ１２では、第１のエッジレイヤは、第１のイメージレイヤに基づいて決定される。図２を参照すると、ソースレイヤ１１７は、エッジ検出器１５０によって処理され、エッジレイヤ１３０を決定する。
【００１３】
エッジレイヤ１３０は、画像の多くのピクセルに対応する多くのメモリ領域を有する。エッジレイヤ１３０は、各ピクセルに対してピクセルエッジ指示子を有する。ピクセルエッジ指示子は、どのピクセルが画像のエッジに関連しているかを指示する、１実施形態では、ピクセルエッジ指示子は、エッジの有無を指示するブール表現である。例えば、正のブールピクセルエッジ指示子は、特定のピクセルが画像のエッジの一部であることを示す。
【００１４】
エッジ検出器１５０は、各ピクセル位置について勾配を判定することによりエッジを検出する。例えば、ピクセルの水平及び垂直な勾配は、次の式を用いて算出することができる。
【００１５】
【数１】
2007507134.tif 000003
【００１６】
次の
【００１７】
【数２】
2007507134.tif 000004
【００１８】
のような直交座標から極座標への変換により、エッジの大きさを得ることができる。またはこれに代えて、平方根操作を除いて、その大きさを、あらかじめ定められたエッジレベルと比較するようにしてもよい。あらかじめ定められたエッジレベルは、エッジとみなされるものを制御するもので、最終の目標レイヤで保持される細部の量を最終的に制御する。例えば、その大きさが、あらかじめ定められたエッジレベルの値より大きい場合は、対応するピクセルは、エッジピクセルであるといわれる。他の実施形態では、エッジ検出器１５０は、単にピクセルの水平・垂直のエッジ要素に基づくことにより、エッジの存在を判定することができる。
【００１９】
図３は、ブールピクセルエッジ指示子を含むブールエッジレイヤの一部２１２を示す。図３の１０×１０のマトリックスは、画像レイヤの最も左上のピクセルを表している。説明上、値「１」は、その位置のピクセルがエッジピクセルとして識別されたものである。他方、値「０」は、その位置のピクセルがエッジピクセルではないとして識別されたものである。代替可能な実施形態では、エッジレイヤ１３０は、図４に示すような、重み付けエッジ指示子を有することもある。
【００２０】
図４は、重み付けエッジ指示子を有する重み付けエッジレイヤ２１４の一部を示す。図４の具体例では、そのピクセルの＋／−１ピクセルの範囲内のブールピクセルエッジ指示子の数を決定し、データバイトの下位４ビットにこの値を格納し、さらにそのデータバイトの上位４ビットに、そのピクセルから＋／−２ピクセルに存在するブールピクセルエッジ指示子の数を格納することによって、ピクセルに重み付けられた値を割り当てる。そのピクセルから＋／−２ピクセルに存在する、レイヤ２１２におけるブールピクセルエッジ指示子の数は、そのピクセルから＋／−２ピクセルの範囲内に存在するブールピクセルエッジ指示子の数を決定し、そのピクセルから＋／−１ピクセルに存在するブールピクセルエッジ指示子の数を引くことにより、算出することができる。
【００２１】
例えば、ピクセルＰ（４，４）の＋／−１ピクセルの範囲内にある、レイヤ２１２におけるブールピクセルエッジ指示子の数は、レイヤ１１４の値５によって指示される。この値は、重み付けエッジレイヤ２１４のＰ（４，４）の下位４ビットに格納される。ブールエッジレイヤ２１２のボックス２０３内のエッジピクセルの数は、１２である。ピクセル位置Ｐ（４，４）から２ピクセル離れているピクセルの数は、ボックス２１２内のエッジピクセルから、ボックス２０１内のエッジピクセルの数を引くことにより決まり、その結果は値７となる。この値は、レイヤ２１１におけるピクセルＰ（４，４）の上位４ビットに格納される。したがって、ピクセルＰ（４，４）の重み付けピクセル値は、「７５」である。重み付けエッジ値を決定および／または格納する多くの他のスキームが可能であることは理解されるであろう。
【００２２】
図１に戻ると、ステップ１３では、第１の画像レイヤは、第１のエッジレイヤに基づいて、第１の他のレイヤと混合される。１実施形態では、第１の他のレイヤは、ソースレイヤ１１７である。
【００２３】
図２の混合制御器１６０は、混合を実現するために用いられ、エッジレイヤ１３０の情報を用い、ソースレイヤ１１７を平滑レイヤ１２０と混合して、ソース画像レイヤ１１７におけるエッジと微細構造を保存する。エッジレイヤがブールエッジ情報だけを含む場合、２つの混合比の１つは、各ピクセル位置で混合制御器１６０によって実現される。しかしながら、一般的には、ただ２つの混合比のうちの１つに基づいて画素を混合する能力によっては、十分な混合オプションを提供できず、強調画像をもつ目標画像を提供することができない。
【００２４】
付加的なレベルの混合を提供するために、図４に示されているような、重み付けされたエッジレイヤが、特定のピクセルの混合について、２以上の混合比の１つを選択するために、混合制御器１６０によって用いられることができる。図５は、重み付けされたエッジレイヤを使用する具体的な混合方法を開示する。
【００２５】
ステップ３０２では、「重み１」とラベル付けされたピクセルエッジ値が、変数Ｔ１より大きいか否かが、判定される。「重み１」は、スケーリングされたピクセルの＋／−１ピクセルの範囲内にあるエッジピクセルの数を表している。図４については、それはピクセル位置の下位４ビットに格納された値である。「重み１」が、閾値Ｔ１より大きい場合、フローはステップ３２２に進み、そこではソース画像ピクセルが、目標レイヤ１３５のような目標レイヤに直接コピーされる。そうでなければ、フローはステップ３０３に進む。
【００２６】
ステップＳ３０３では、ピクセルエッジ値「重み１」がＴ２より大きいか否かが、判定される。そうであれば、フローはステップ３２３に進む。そこでは、ソース画像ピクセルは、３対１の比率で平滑画像と混合される。そうでばければ、フローはステップ３０４に進む。
【００２７】
ステップ３０４では、ピクセルエッジ値「重み１」がＴ３より大きいか否かが、判定される。そうであれば、フローはステップ３２４に進む。そこでは、ソース画像ピクセルは、１対１の比率で平滑画像と混合される。そうでなければ、フローはステップ３０５に進む。
【００２８】
ステップ３０５では、「重み２」と標示されたピクセルエッジ値が、変数Ｔ４より大きいか否かが、判定される。「重み２」は、スケーリングされたピクセルの＋／−２ピクセルでのエッジピクセルの数を表している。図４については、それはピクセル位置の上位４ビットに格納された値である。「重み２」が、Ｘ４の値より大きい場合、フローはステップ３２５に進み、そこではソース画像ピクセルが、１対３の比率で平滑画像と混合される。そうでなければ、フローはステップ３２６に進む。
【００２９】
ステップ３２６では、目標ピクセルが平滑ピクセルと等しくセットされる。
【００３０】
ステップ３０６では、他のピクセルが存在するか否かが、判定される。あれば、フローはステップ３０２に進み、次のピクセルを処理する。なければ、フローは終了する。
【００３１】
変数Ｔ１、Ｔ２、Ｔ３、およびＴ４は、予め定められていて、プリセット変数、あるいはユーザ定義変数とすることができる。他の実施形態では、変数Ｔ１〜Ｔ４は、ソース画像に基いて統計的に決定することもできる。特定の実施形態では、変数Ｔ１〜Ｔ４はそれぞれ、７、３、１、および３にセットすることができる。
【００３２】
図６に、本発明の実施形態による他の方法を示す。
【００３３】
ステップ２１では、ある画像の第１の画像レイヤが受信される。その方法は、図１のステップ１１と同様の方法である。
【００３４】
ステップ２２では、第１の他のレイヤが決定される。一般的には、第１の他のレイヤは、ノイズフィルタ１４０によって決定される。ノイズフィルタ１４０は、ソースレイヤをフィルタリングして、平滑画像を提供する。ノイズフィルタ１４０は任意のフィルタでよいが、システム１００のコストパフォーマンス比を考慮して、一般的にはローパスフィルタあるいはメディアンフィルタのいずれかが用いられる。一実施形態では、５タップ水平フィルタと５タップ垂直フィルタからなるローパスフィルタが使用される。所望のノイズレベルに応じて、異なる係数を用いることができる。一実施形態では、ノイズフィルタによって実現される３段階のノイズレベルは、０．７ｆｓ、０．５ｆｓ及び０．３ｆｓもカットオフ周波数をもつ。中間平滑レイヤは、水平方向にローパスフィルタを適用して形成され、その結果は、混合前に形成される垂直方向におけるフィルタリングを含む最終平滑レイヤとともに、メモリに記憶される。２次元メディアンフィルタは、３つのサイズ、すなわち１×１、３×３、及び５×５をサポートするように使用される。
【００３５】
ステップ２３では、第１のエッジレイヤが、図１のステップ１２について説明したのと同様の方法で判定される。
【００３６】
ステップ２４では、第１の画像と第１の他のレイヤが、図１のステップ１３について説明したのと同様の方法で、混合される。
【００３７】
図７に、本発明の一実施形態による他の方法を示す。ステップ４１、４２および４３は、先に説明したステップ２１、２２および２３と同様に作用する。
【００３８】
ステップ４４は、ステップ４１と同様であるが、第１のソース画像レイヤに代わり第２のソース画像レイヤを受信する。
【００３９】
ステップ４５は、ステップ４２と同様であるが、第２のソース画像レイヤに基づく第２のエッジレイヤを受信する。
【００４０】
ステップ４６は、ステップ４３と同様であるが、第１のソース画像レイヤが第１のレイヤと混合されるのに代えて、第２のソース画像レイヤが、第２の他のレイヤと混合される。ステップ４６の結果は、第２の混合ビデオレイヤである。
【００４１】
ステップ４７では、第１および第２の混合ビデオレイヤを組み合わせたコンポジット画像が提供される。一般的に、ステップ４１〜４３に類似の追加的ステップが実行され、コンポジット画像が形成される第３の混合レイヤを生成することは理解されるであろう。
【００４２】
図８は、ブロック図により、データ処理システムを示す。データ処理システムは、パーソナルコンピュータあるいは携帯情報端末のような汎用処理システムであってもよいし、あるいはメディアサーバ、インターネット機器、ホームネットワーキングハブその他の特定用途システムであってもよい。システム５００は、図示のように中央処理部５１０を含む。中央処理部５１０は、従来のあるいは独自のデータプロセッサ、ＲＡＭ（random access memory）５１２を含むメモリ、ＲＯＭ（read only memory）メモリ５１４、入出力アダプタ５２２、ユーザインタフェースアダプタ５２０、通信インタフェースアダプタ５２４、およびマルチメディアコントローラ５２６を有している。
【００４３】
入出力（Ｉ／Ｏ）アダプタ５２２はさらに、他の標準的および独自仕様のＩ／Ｏ機器と同様に、さまざまな周辺機器、例えば、ディスクドライブ５４７、プリンタ５４５、リムーバブル記憶装置５４６と接続される。
【００４４】
ユーザインタフェースアダプタ５２０は、特殊なＩ／Ｏアダプタとみなすことができる。アダプタ５２０は、図では、マウス５４０とキーボード５４１に接続されている。なお、ユーザインタフェースアダプタ５２０は、タッチスクリーン装置のような各種のユーザ制御を実現可能な他の装置に接続されてもよい。
【００４５】
通信インタフェースアダプタ５２４は、ローカルエリアネットワークあるいはワイドエリアネットワークに関連するブリッジ５５０に接続され、またモデム５５１に接続されている。システムバス５０２を各種の通信装置に接続することにより、情報に対する外部アクセスが得られる。
【００４６】
マルチメディアコントローラ５２６は通常、表示され、記憶され、送信されることができる平滑画像を、本明細書で説明した方法で生成可能なビデオグラフィックコントローラを含む。特定の実施形態では、マルチメディアコントローラ５２６は、ハードウエアあるいはソフトウェアで実現可能な、図２のシステムを含む。ソフトウェアにより実現されたものは、例えばＲＡＭ５１２およびＲＯＭ５１４のような各種のメモリのうちのいずれかに格納可能である。さらに、ソフトウェアによる実現のためのソフトウェアは、マルチメディアコントローラ５２６に格納可能である。ソフトウェアにより実現する場合、図２のシステムでは、命令を実行するのは、コントローラ５２６内のデータプロセッサであってよく、あるいはＣＰＵ５１０のような共有プロセッサでもよい。
【００４７】
本明細書の前述の詳細な説明は、本発明が実施される実施形態が示された、明細書の一部である図面を参照して行われた。本発明を盛り込む多くの他の実施形態が、当業者により容易に作成されることができることは、理解されるであろう。例えば、中間エッジレイヤを使用して、混合制御器１６０によって使用される最終エッジレイヤ導出するようにすることもできる。このような中間レイヤは、水平方向に調整されたピクセル情報を指示するピクセル情報を含むことになる。例えば、図９には中間テーブルが示されており、そこでは各ピクセルは、そのバイトの下位４ビットに、＋／−１水平方向ピクセル内のエッジピクセルの数を格納し、そのバイトの上位４ビットに、＋／−２水平方向ピクセル内のエッジピクセルの数を格納している。このような中間レイヤは、最終エッジレイヤの効率的な計算を可能にする。例えば、ピクセルＰ（ｘ，ｙ）に対して＋／−ピクセル内のエッジピクセルの数は、ピクセルＰ（ｘ，ｙ−１）、Ｐ（ｘ，ｙ）及びＰ（ｘ，ｙ＋１）の下位４ビットを加えることによって決定される。同様に、ピクセルＰ（ｘ，ｙ）に対して＋／−２ピクセル内のエッジピクセルの数は、Ｐ（ｘ，ｙ−２）及びＰ（ｘ，ｙ＋２）の下位４ビットに対して、ピクセルＰ（ｘ，ｙ−２）、Ｐ（ｘ，ｙ−１）、Ｐ（ｘ，ｙ）、Ｐ（ｘ，ｙ＋１）及びＰ（ｘ，ｙ＋２）の上位４ビットを加えることによって決定される。このように中間レイヤを用いることにより、水平方向エッジレイヤを再利用して、重み付けされたエッジ値の計算に必要な演算処理を減少させる。以上のように、本発明は、明細書に開示された特定の様態に限定しようとするものではなく、本発明の精神と範囲内に当然に含まれる代替物、変更物、均等物をカバーしようとするものである。したがって、前述の詳細な説明は、限定の意味にとられるものではなく、本発明の範囲は、添付の特許請求の範囲によってのみ規定されるものである。
【図面の簡単な説明】
【００４８】
【図１】本発明による方法をフローチャートで示す図である。
【図２】本発明の特定の実施形態によるシステムをブロックダイアグラムで示す図である。
【図３】本発明の特定の実施形態によるブール・エッジデータを示す図である。
【図４】本発明の特定の実施形態による重み付けエッジデータを示す図である。
【図５】本発明の特定の実施形態による混合方法をブロックダイアグラムで示す図である。
【図６】本発明の特定の実施形態による方法をブロックダイアグラムで示す図である。
【図７】本発明の特定の実施形態による方法をブロックダイアグラムで示す図である。
【図８】本発明によるシステムをブロックダイアグラムで示す図である。
【図９】本発明の特定の実施形態による中間データを示す図である。
【図１】
2007507134.tif 000005
【図２】
2007507134.tif 000006
【図３】
2007507134.tif 000007
【図４】
2007507134.tif 000008
【図５】
2007507134.tif 000009
【図６】
2007507134.tif 000010
【図７】
2007507134.tif 000011
【図８】
2007507134.tif 000012
【図９】
2007507134.tif 000013
【手続補正書】
【提出日】平成18年8月23日(2006.8.23)
【手続補正１】
【補正対象書類名】特許請求の範囲
【補正対象項目名】全文
【補正方法】変更
【補正の内容】
【特許請求の範囲】
【請求項１】
ビデオ画像の第１のビデオレイヤを受信するステップ（１１，２１，４１）と、
前記第１のビデオレイヤに基づいて第１のエッジレイヤを決定するステップ（１２，２３，４２）と、
前記第１のビデオレイヤを第１の他のレイヤと混合するステップであって、該混合は前記第１のエッジレイヤに基づいて制御されるステップ（１３，２４，４３）と、を有する方法。
【請求項２】
さらに、ビデオ画像の第２のビデオレイヤを受信するステップ（４４）と、
前記第２のビデオレイヤに基づいて第２のエッジレイヤを決定するステップ（４５）と、
前記第２のビデオレイヤを第２の他のレイヤと混合するステップ（４６）であって、該混合は前記第２のエッジレイヤにより制御されるステップと、を有する請求項１に記載の方法。
【請求項３】
さらに、
前記第１のビデオレイヤと前記第２のビデオレイヤのコンポジットを、表示装置上の表示のために提供するステップ（４７）と、を有する請求項２に記載の方法。
【請求項４】
前記第１の他のビデオレイヤは、前記第１のビデオレイヤのフィルタ処理された表現である請求項１〜３のいずれか１項に記載の方法。
【請求項５】
前記フィルタ処理された表現は、前記第１のビデオレイヤの平滑化された表現である請求項４に記載の方法。
【請求項６】
前記第１のビデオレイヤは、Ｒレイヤ、Ｇレイヤ及びＢレイヤのうちの１つ、またはＹレイヤ、Ｕレイヤ及びＶレイヤのうちの１つである請求項１〜５のいずれか１項に記載の方法。
【請求項７】
前記混合するステップ（１３，２４，４３，４６）は、水平エッジ要素に基づく請求項１〜６のいずれか１項に記載の方法。
【請求項８】
前記混合するステップ（１３，２４，４３，４６）は、垂直エッジ要素とは独立している請求項７に記載の方法。
【請求項９】
前記混合するステップ（１３，２４，４３，４６）は、垂直エッジ要素に基づく請求項１〜６のいずれか１項に記載の方法。
【請求項１０】
前記混合するステップ（１３，２４，４３，４６）は、水平エッジ要素とは独立している請求項９に記載の方法。
【請求項１１】
前記第１のエッジレイヤを決定するステップ（１２，２３，４２）は、前記第１のビデオレイヤの複数のピクセルに対する勾配を決定するステップを有する請求項１〜１０のいずれか１項に記載の方法。
【請求項１２】
前記第１のエッジレイヤを決定するステップ（１２，２３，４２）は、前記第１のビデオレイヤの複数のピクセルに対する水平方向および／または垂直方向の勾配を決定するステップを有する請求項１１に記載の方法。
【請求項１３】
前記第１のエッジレイヤは、ピクセルにおける勾配が、所定の値より大きいとき、該ピクセルにおけるエッジ指示子を含む請求項１２に記載の方法。
【請求項１４】
前記所定の値は、ユーザにより定義可能である請求項１３に記載の方法。
【請求項１５】
前記画像レイヤに基づいてエッジレイヤおよびフィルタ処理されたレイヤを決定するステップを有し、前記混合は、混合画像レイヤの各ピクセルについての混合比に基づいて制御され、前記混合比は、前記混合画像レイヤを形成するために、前記画像レイヤとフィルタ処理されたレイヤとの混合（２４）を制御するために用いられ、さらに前記混合比は、前記エッジレイヤに基づくものである、請求項１〜１４のいずれか１項に記載の方法。
【請求項１６】
前記フィルタ処理されたレイヤは、平滑画像を表現する請求項１５に記載の方法。
【請求項１７】
前記ソース画像を受信し、平滑画像を提供するノイズフィルタと、
前記ソース画像を受信し、エッジレイヤを提供するエッジ検出器と、
前記平滑画像と前記エッジレイヤとを受信し、かつ前記ソースレイヤと前記目標レイヤとに基づいて目標レイヤを提供するように結合される混合制御器と、
を備えるシステム。
【国際調査報告】
2007507134.tif 000014
2007507134.tif 000015